(57)【要約】【課題】外壁面材や胴縁などの取付け部材を発泡樹脂断熱材や無機繊維系断熱材などからなる断熱材を介して、下地にしっかりとしかも容易に取り付けることができるスペーサを提供する。【解決手段】取付け部材と取付け用下地との間に、発泡樹脂系または繊維系の断熱材が介設され、前記取付け部材が締結具で断熱材を介して下地に固定された、断熱材を介した取付け部材の取付け構造に用いる、前記取付け部材と下地との間に前記締結具の締付けに抗してそれらの間の間隔を保持するためのスペーサ１であり、締結具を貫通させる孔を有するピース状のベースプレート部２と、ベースプレート部２から突出し、断熱材１１に差し込まれて取付け部材と下地との間隔を保持する脚部３とからなる。脚部３は少なくとも３脚以上有し、脚部３がベースプレート部２に設けられた孔４を中心に同心円上に間隔を等しくして配置されているとよい。【選択図】    図１
2010222834.tif 000002
【特許請求の範囲】
【請求項１】
取付け部材と取付け用下地との間に、発泡樹脂系または繊維系の断熱材が介設され、前記取付け部材が締結具で断熱材を介して下地に固定された、断熱材を介した取付け部材の取付け構造に用いる、前記取付け部材と下地との間に前記ネジ具の締付けに抗してそれらの間の間隔を保持するためのスペーサであって、
締結具を貫通させる孔を有するピース状のベースプレート部と、ベースプレート部から突出し、断熱材に差し込まれて取付け部材と下地との間隔を保持する脚部とからなり、
脚部を少なくとも３脚以上有し、該脚部がベースプレート部に設けられた該孔を中心に同心円上に間隔を等しくして配置されていることを特徴とするスペーサ。
【請求項２】
前記脚部に、断熱材の差込を許容しながら、断熱材からの抜けを阻止する引っ掛け部が備えられている請求項１に記載のスペーサ。
【請求項３】
前記脚部は、プレート状からなり、プレートの先端部が先端側に向かって板厚寸法を小さくしていくテーパ形状になっている請求項１乃至２に記載のスペーサ。
【請求項４】
前記プレート状の脚部が、該プレートの幅方向を前記ベースプレート部に設けられた孔を中心とした放射線方向に向けて配置されている請求項３に記載のスペーサ。
【請求項５】
前記引っ掛け部が、ベースプレート部に設けられた孔を中心とした放射線方向側へ脚部から突出する鉤状をしている請求項４に記載のスペーサ。
【発明の詳細な説明】
【技術分野】
【０００１】
本発明は、外壁面材等の取付け部材を断熱材を介して取り付ける場合の取付け構造に用いるスペーサに関する。
【背景技術】
【０００２】
例えば、外張断熱通気工法建物において、窯業系などの外壁面材や胴縁を発泡樹脂断熱材や無機繊維系断熱材を介して、パネルフレームなどの下地にビスで取り付ける場合、外壁面材や胴縁をそのままビスで下地に取り付けたのでは、断熱材の柔軟性により、しっかりとした取付け状態を形成するのが困難であることから、断熱材に間隔保持用のスペーサを用いて、断熱材の沈み込みを防ぐことが行われている。
【先行技術文献】
【特許文献】
【０００３】
【特許文献１】特開２００５−３１５０４９号公報
【発明の概要】
【発明が解決しようとする課題】
【０００４】
発泡樹脂断熱材や無機繊維系断熱材からなる断熱材を固定、支持する機能を兼ねたスペーサが提案されているが、主として断熱材の支持、固定を重視したものが多く、圧縮に対して十分な効果が得られない。また、スペーサは一点支持する形態であり、圧縮強度に弱いばかりでなく、斜め方向から圧縮がかかると、スペーサが倒れてしまい、スペーサの機能を十分に果たせていなかった。
【０００５】
本発明は、以上のような問題点に鑑み、外壁面材や胴縁などの取付け部材を発泡樹脂断熱材や無機繊維系断熱材などからなる断熱材を介して、断熱材の厚みを圧縮させることなく、下地にしっかりと、しかも容易に取り付けることができるスペーサを提供することを課題とする。
【課題を解決するための手段】
【０００６】
上記の課題は、取付け部材と取付け用下地との間に、発泡樹脂系または繊維系の断熱材が介設され、前記取付け部材が締結具で断熱材を介して下地に固定された、断熱材を介した取付け部材の取付け構造に用いる、前記取付け部材と下地との間に前記締結具の締付けに抗してそれらの間の間隔を保持するためのスペーサであって、
締結具を貫通させる孔を有するピース状のベースプレート部と、ベースプレート部から突出し、断熱材に差し込まれて取付け部材と下地との間隔を保持する脚部とからなり、
脚部を少なくとも３脚以上有し、該脚部がベースプレート部に設けられた該孔を中心に同心円上に間隔を等しくして配置されていることを特徴とするスペーサにより解決される。
【０００７】
このスペーサは、締結具を貫通させる孔を有するベースプレート部と、ベースプレート部から突出し、断熱材に差し込まれて取付け部材と下地との間隔を保持する脚部とからなり、脚部を少なくとも３脚以上有しているので、脚部が断熱材に安定感よくしっくりと食い込み、スペーサが横倒れすることなく、取付け部材の固定による断熱材の圧縮を防ぐことができる。
【０００８】
また、少なくとも３脚以上の脚部がベースプレート部に設けられた孔を中心に同心円上に間隔を等しくして配置されているので、どの角度から力がかかっても、スペーサは倒れることなく、安定感よく取付け部材の固定による断熱材の圧縮を防ぐことができる。
【０００９】
さらに、スペーサがベースプレート部と脚部からなるピース状であるため、スペーサの取り扱いが容易で効率よく、断熱材への取付けを行うことができる。
【００１０】
上記のスペーサにおいて、脚部に、断熱材の差込を許容しながら、断熱材からの抜けを阻止する引っ掛け部が備えられているとよい。
【００１１】
この場合は、断熱材に脚部を差し込んだスペーサが断熱材から脱落することがなく、そのため、スペーサを断熱材にプレセットしておくことが可能で、プレセットしておくことにより、断熱材を介した取付け部材と取付け用下地との接合を効率よく行っていくことができる。
【００１２】
また、上記のスペーサにおいて、脚部は、プレート状からなり、プレートの先端部が先端側に向かって板厚寸法を小さくしていくテーパ形状になっているとよい。
【００１３】
この場合は、断熱材に切込みを入れて脚部に差し込むか、あるいは、脚部を断熱材に突き刺すなどの場合において、それらを容易に行うことができる。
【００１４】
また、上記スペーサにおいて、プレート状の脚部が、プレートの幅方向をベースプレート部に設けられた孔を中心とした放射線方向に向けて配置されているとよい。
【００１５】
プレート状の脚部が、プレートの幅方向をベースプレート部に設けられたネジ具を貫通させる孔を中心とした放射線方向に向けて配置されているため、少なくとも３脚以上の脚部がベースプレート部に設けられた孔を中心に同心円上に間隔を等しくして配置されていることと相まって、ネジ具を貫通させる孔を中心に放射線状にベースプレート部が補強されるため、ネジ具をベースプレート部の孔に挿入して断熱材を介して下地にスペーサを固定する際に、スペーサがネジ具の締め付けにより変形することを防ぐことができる。
【００１６】
さらに、上記スペーサにおいて、脚部の引っ掛け部が、ベースプレート部に設けられた孔を中心とした放射線方向側へ脚部から突出する鉤状をしているとよい。
【００１７】
プレート状の脚部の、ベースプレート部に設けられた孔を中心とした放射線方向へ引っ掛け部である鉤部が突出しているため、複数の脚部の先端部のそれぞれの間隔が最も離れている位置で、引っ掛け部である鉤部が断熱材に食い込むため、それぞれの脚部で他の鉤部に影響されることなく、また、かっちりと食い込むことができる。
【発明の効果】
【００１８】
本発明は以上のとおりであるから、外壁面材や胴縁などの取付け部材を発泡樹脂断熱材や無機繊維系断熱材などからなる断熱材を介して、下地にしっかりとしかも容易に取り付けることができるスペーサを提供することができる。
【図面の簡単な説明】
【００１９】
【図１】本発明の実施形態のスペーサを示す図であって、図（イ）は斜視図、図（ロ）は背面からの斜視図、図（ハ）は一部断面側面図である。
【図２】図（イ）は、断熱材を介した取付け部材の取付け構造におけるスペーサの取付け状況を示す断面側面図、図（ロ）は、図（イ）の要部拡大断面側面図、図（ハ）は、構成品を分解して示す断面側面図である。
【発明を実施するための形態】
【００２０】
次に、本発明の実施形態を図面に基づいて説明する。
【００２１】
図１に示す実施形態のスペーサ１は、断面視円形のプレートのベースプレート部２と、ベースプレート部２の一方の面に脚部３が備えられている。脚部３は、ベースプレート部２の中央に設けられた孔４を中心とした同心円状に等間隔に配置され、脚部３の幅方向が孔４を中心とした放射線方向に向けて平行となるように配置されている。本実施形態では、隣り合う４脚の脚部３が、それぞれ角度を９０度ずつ異ならせ、孔４を中心として同心円状に等間隔に配置されている。
【００２２】
脚部３は、ベースプレート部２と連続し、断熱材に差し込まれて取付け材と下地との間隔を保持する本体部３ａと、本体部３ａのベースプレート部２と接続する側と反対側の先端部側から側方に延出し、スペーサ１が断熱材からの抜けを阻止する引っ掛け部３ｂからなる。引っ掛け部３ｂは、脚部３の本体部３ｂから、ベースプレート２ｂの放射線方向側に突出する側に備えられている。
【００２３】
プレート状の脚部３の本体部３ａおよび引っ掛け部３ｂにわたる先端部３ｃは、先端側に向かって板厚寸法を小さくしていくテーパ形状となっている。
【００２４】
ベースプレート部２に設けられた孔４は、ビスでスペーサを固定するため、ビスの軸部の貫通を許容しながら、ビス頭の貫通を阻止し、ビス頭がベースプレート２に残らないように、ビス頭埋め込みのための収納部４ａを備えている。なお、収納部４ａと脚部３との間を繋ぐ突条部５はベースプレート部２の平面剛性を補強するリブである。
【００２５】
このピース状のスペーサは樹脂製で一体成型により作成される。
【００２６】
図２に示す断熱材を介した取付け部材の取付け構造において、スペーサ１は次のように取り付けられる。
【００２７】
断熱材を介した取付け部材の取付け構造において、１１は断熱材、１２は透湿防水シート、１３は耐力合板、１４は下地材、１５は取付け部材である胴縁材である。
【００２８】
耐力合板１３に透湿防止シート１２を介して断熱材１１を配置した後、胴縁材１５を取り付ける位置に、スペーサ１を固定する。スペーサの固定は断熱材１１の正面側から断熱材に差込み、差込後にスペーサ１の孔４に挿通したビス１６で耐力合板１３および下地材１４に固定する。スペーサはピース状をしているため、ハンドリングよく断熱材に差込みながら取り付けていくことができる。なお、スペーサ１の脚部３の高さは断熱材１１の厚みにあわせて設定されている。
【００２９】
スペーサ１を固定した後、スペーサを配置した上側に胴縁材１５を配置し、胴縁材の上からビスで断熱材１１を介して、耐力合板１３および下地材１４に固定する。
【００３０】
このスペーサ１は、ネジ具を貫通させる孔を有するピース状のベースプレート部２と、ベースプレート部２から突出し、断熱材１１に差し込まれて取付け部材と下地との間隔を保持する脚部３とからなり、ベースプレート部２の中央に設けられた孔４を中心として同心円状に等間隔に４脚備えているので、脚部３が断熱材１１に安定感よくしっくりと食い込み、スペーサ１が横倒れすることなく、取付け部材の固定による断熱材１１の圧縮を防ぐことができる。
【００３１】
また、４脚の脚部３がベースプレート部２に設けられた孔を中心に同心円上に間隔を等しくして配置されているので、どの角度から力がかかっても、スペーサ１は倒れることなく、安定感よく取付け部材の固定による断熱材１１の圧縮を防ぐことができる。
【００３２】
さらに、スペーサ１がベースプレート部２と脚部３からなるピース状であるため、スペーサ１の取り扱いが容易で効率よく、断熱材１１への取付けを行うことができる。
【００３３】
また、スペーサ１の脚部３に、断熱材１１の差込を許容しながら、断熱材１１からの抜けを阻止する引っ掛け部３ｂが備えられているため、断熱材１１に脚部３を差し込んだスペーサ１が断熱材１１から脱落することがなく、スペーサ１を断熱材１１にプレセットしておくことが可能で、プレセットしておくことにより、断熱材１１を介した取付け部材と取付け用下地との接合を効率よく行っていくことができる。特に、脚部３の引っ掛け部３ｂが、ベースプレート部２に設けられた孔４を中心とした放射線方向側へ脚部３から突出する鉤状をしているので、複数の脚部の先端部のそれぞれの間隔が最も離れている位置で、引っ掛け部３ｂである鉤部が断熱材１１に食い込むため、それぞれの脚部３で他の鉤部に影響されることなく、また、かっちりと食い込むことができる。
【００３４】
また、スペーサ１の脚部３は、プレート状からなり、プレートの先端部が先端側に向かって板厚寸法を小さくしていくテーパ形状になっているので断熱材１１に切込みを入れて脚部３に差し込むか、あるいは、脚部３を断熱材１１に突き刺すなどの場合において、それらを容易に行うことができる。
【００３５】
また、スペーサ１のプレート状の脚部３が、プレートの幅方向をベースプレート部２に設けられたネジ具を貫通させる孔４を中心とした放射線方向に向けて配置されているため、４脚の脚部３がベースプレート部２に設けられた孔４を中心に同心円上に間隔を等しくして配置されていることと相まって、ネジ具を貫通させる孔４を中心に放射線状にベースプレート部２が補強されるため、ネジ具をベースプレート部２の孔４に挿入して断熱材を介して下地にスペーサ１を固定する際に、スペーサ１がネジ具の締め付けにより変形することを防ぐことができる。  
【００３６】
以上に、本発明の実施形態を示したが、本発明はこれに限られるものではなく、発明思想を逸脱しない範囲で各種の変更が可能である。例えば、上記の実施形態では、樹脂製の一体成型品である場合について示したが、樹脂製である必要はなく、鋼板からなる金物であってもよく、また、スペーサが一体品である必要はなく、複数の部品から構成されていてもよい。また、形状についても特に制限はなく、記取付け部材と下地との間に前記ネジ具の締付けに抗してそれらの間の間隔を保持できればよい。
【符号の説明】
【００３７】
１・・・スペーサ
２・・・ベースプレート部
３・・・脚部
３ａ・・・本体部
３ｂ・・・引っ掛け部 
３ｃ・・・先端部
４・・・孔
１１・・・断熱材
１２・・・透湿防水シート
１３・・・耐力合板
１４・・・下地材
１５・・・胴縁材（取付け部材）
１６・・・ビス
【図１】
2010222834.tif 000003
【図２】
2010222834.tif 000004